Podtech/llm-jp-corpus-v4-ja_patent huggingface dataset:
(57)【要約】      （修正有）【課題】折り畳みが簡単で、折り畳まれた姿が人に不快感を与えないで、コンパクトで持ち運びが楽な板状フレーム型軽量小径折り畳み自転車を提供する。【解決手段】板状のフロントホーク、リヤホークとも同じ長さにして、前後車輪が重なるように折り畳みヒンジを設けて、ハンドルバー、ペダルも折り畳み式にしてブレーキワイヤーは二枚の板状フレーム間に納めてある。以上を特徴とする板状フレーム型軽量小径折り畳み自転車。【選択図】図１
0003141291.tif 000002
【実用新案登録請求の範囲】
【請求項１】
板状フレームを特徴とする軽量小径折り畳み自転車。
【請求項２】
リヤホークの間にフロントプーリーの移動を可能にするスライドステーを設けた請求項１の軽量小径折り畳み自転車。
【考案の詳細な説明】
【技術分野】
【０００１】  本考案は、車体を軽量でシンプルにして素早くコンパクトに折り畳め日常生活とレジャー等にも役立つ板状フレーム型軽量小径折り畳み自転車に関するものである。
【背景技術】
【０００２】  従来は、折り畳み方式や操作性に配慮がなくただコンパクトに折り畳むだけである。
【考案の開示】
【考案が解決しようとする課題】
【０００３】  そのために次のような問題点があった。
折り畳み時にわずらわしく手数がかかり、折り畳まれた姿は鉄屑のかたまりに見えて人に不快感を与えるおそれがある。
【課題を解決するための手段】
【０００４】  そこで、板状のフロントホーク、リヤホークとも同じ長さにして前後車輪が重なるように折り畳みヒンジが設けてあり、ハンドルバーとペダルも折りたたみ式になっている。ブレーキワイヤーは二枚の板状フレームの間におさめてある。
以上を特徴とする板状フレーム型軽量小径折り畳み自転車である。
【考案の効果】
【０００５】  フロントホークにリヤホークが重なり、前後車輪が重なり、フロントプーリーがリヤホークの間に約半分収納され、ハンドルバーとペダルも折り畳まれ全体がシンプルでコンパクトでスティック状になった姿は持ち運びが楽であり人に不快感を与えるおそれをなくし美的快感を与えることができる。
【考案を実施するための最良の形態】
【０００６】本考案の実施形態は図１に示すように、二枚合せの板状フロントホーク（１）とリヤホーク（２）を同じ長さにして前車輪（１４）と後車輪（１５）が重なるように折りたたみヒンジ（３）が設けてある。折り畳み式ハンドルバー（１８）と折り畳み式ペダル（１３）と板状フレームの間に納めたブレーキワイヤー（２２）とさらにスライドステー（６）によりフロントプーリー（９）をリヤホーク（２）の間に約半分納め、折り畳まれた姿［図３］がコンパクトでスティック状になり持ち運びが楽になる構造と形態になっている。
【図面の簡単な説明】
【０００７】
【図１】本考案の斜視図
【図２】本考案の側面図
【図３】本考案の折り畳み図
【符号の説明】
【０００８】  １  フロントホーク
２  リヤホーク
３  折り畳みヒンジ
４  折り畳みヒンジ固定バー
５  ステアリングヒンジ
６  スライドステー
７  スライドステー固定レバー
８  ベルトステー
９  フロントプーリー
１０  リヤプーリー
１１  ベルト
１２  クランク
１３  折り畳み式ペダル
１４  前車輪
１５  後車輪
１６  フロントドラムブレーキ
１７  リヤドラムブレーキ
１８  折り畳み式ハンドルバー
１９  折り畳み式ハンドルバー固定ボタン
２０  フロントブレーキレバー
２１  リヤブレーキレバー
２２  ブレーキワイヤー
２３  ニギリ
２４  サドル
２５  シートピラー
２６  リヤキャリヤ
２７  ジョイントプレート
２８  ハンドルポスト
【図１】
0003141291.tif 000003
【図２】
0003141291.tif 000004
【図３】
0003141291.tif 000005
(57)【要約】      （修正有）【課題】既存の風呂水ポンプを収納する時に、ポンプ本体や本体に接続しているホース内に滞留していた水がポンプ先端から垂れることにより濡れてしまう床を掃除しなければならないという時間的精神的負担を削減する。【解決手段】風呂水ポンプのホースを留めるクリップを内側に設けた容器に収納することにより、ポンプ本体や、本体に接続してあるホース内に滞留している水が床に垂れないことで、掃除の時間的精神的負担を削減できる。また、容器側面に備えた磁石で洗濯機側面に収納できることと、別の方法として、請求項２の台座を容器に接続することによって、床にも安定して置けるという収納方法によって収納時の時間的精神的負担が削減されることに優れている。【選択図】図１
0003141293.tif 000002
【実用新案登録請求の範囲】
【請求項１】
風呂水ポンプを、容器内側に設けたクリップにポンプに接続してあるホースを留めて収納することにより、ポンプ内及びホース内に滞留している水が床に垂れないようになっているところを特徴とする容器
【請求項２】
請求項１の容器を床に置くために接続する台座
【考案の詳細な説明】
【技術分野】
【０００１】本考案は、風呂水ポンプを、容器内側に設けたクリップにポンプに接続してあるホースを留めて収納することにより、ポンプ内及びホース内に滞留している水が床に垂れないようになっているところを特徴とし、且つ、容器側面に磁石を有し、その磁石を洗濯機に備えた鉄板等磁石が付く素材にて形成された板につけて収納できること、または請求項２の台座を請求項１の容器に接続し床に置けるようにしたことで、さらに収納性が優れているところを特徴とする容器に関するものである
【背景技術】
【０００２】風呂水ポンプを使用後、風呂桶から風呂水ポンプに接続してあるホースを水面から抜き収納するまでの間に、風呂水ポンプから水が垂れ、床を濡らす事が多かった。
【考案の開示】
【考案が解決しようとする課題】
【０００３】既存の風呂水ポンプの収納場所は、洗濯機に設けられた、ポンプ本体のフックを引っ掛けるための小さい穴が開いているものが多い。そのため風呂桶から風呂水ポンプを抜き収納するまでの間に、ポンプ本体や本体に接続しているホース内に滞留していた水がポンプ先端から流れ出し、水が垂れ床を濡らす事が多く、その濡れた場所を拭かなければならないことが、時間的、精神的にも負担である。従って、ポンプ本体に接続しているホースを容器内部に設けたクリップに留めることにより、ポンプ本体は常に容器の内側に有り、容器の外側に水が垂れないことにより、前述の欠点を解決しようとするものである
【課題を解決するための手段】
【０００４】本考案は、水が垂れて床を濡らさないように、風呂水ポンプのホースを留めるクリップを内側に設けた容器に収納することにより、ポンプ本体や本体に接続しているホース内に滞留していた水が垂れないことにより問題点を解決している
【考案の効果】
【０００５】前述のように、本考案の風呂水ポンプ収納容器は、ホースを、容器内側に設けたクリップに留め、ポンプ本体が常に容器の内側に有ることによって、床に水が垂れることを防ぐ為、床を清掃する必要が無く、手も汚れないことで、収納時の時間的、精神的負担を無くせる。
【考案を実施するための最良の形態】
【０００６】風呂水ポンプ収納容器は、内側に風呂水ポンプに接続してあるホースを留める為のフックを設ける。開口部は既製の風呂水ポンプが出し入れできる大きさにする。風呂水ポンプ本体内や接続のホースに滞留している水が容器内に垂れても、水が溢れない深さにする。
容器側面に磁石を備え、洗濯機にはその磁石を付ける為の、鉄板等適宜磁石がつく素材を接着させ、容器を洗濯機側面に収納できるようにする（図５）。また、容器が倒れないようにするために、請求項２の台座（図４）を接続させ、床に置けることも可能にする（図１）
【実施例】
【０００７】以下添付図面に従って一実施例を説明する。
図１は適宜素材にて形成された本考案の風呂水ポンプ収納容器Ａに、ホースを留める適宜素材にて形成されたフックＢに風呂水ポンプＥに接続してあるホースＤを留め収納し、請求項２の適宜素材にて形成された台座Ｃを接続した状態の斜面図である。【０００８】図５のＦは洗濯機の側面を表し、そこに磁石が付く鉄板等適宜素材にて形成された板Ｈを接着させて、図１の容器Ａ側面に備えた磁石ＧをＧ‘のようにＨにつけることによって、洗濯機側面に本考案の容器を固定させることが出来ることを表した斜面図である。
【図面の簡単な説明】
【０００９】
【図１】「本考案の収納容器に台座を接続した状態を示す斜面図である。」
【図２】「図１の縦断面図である」
【図３−１】「図１に設けたホースクリップＢの平面図である」
【図３−２】「図３−１のクリップを開き、ホースを入れた図である
【図３−３】「図３−２のクリップを閉じてホースを留めた図である」
【図４】「請求項２の台座の斜面図である」
【図５】「本考案の収納容器を、容器側面に備えた磁石で洗濯機側面に収納する仕方を表した図」
【符号の説明】
【００１０】Ａ  適宜素材にて形成された本考案の収納容器
Ｂ  適宜素材にて形成されたホースクリップ
Ｃ  適宜素材にて形成された請求項２の台座
Ｄ  適宜素材にて形成されたホース
Ｅ  適宜素材にて形成されたバスポンプ
Ｆ  適宜素材にて形成された洗濯機側面
Ｇ、Ｇ‘磁石
Ｈ  磁石のつく鉄板等適宜素材にて形成された板
【図１】
0003141293.tif 000003
【図２】
0003141293.tif 000004
【図３−１】
0003141293.tif 000005
【図３−２】
0003141293.tif 000006
【図３−３】
0003141293.tif 000007
【図４】
0003141293.tif 000008
【図５】
0003141293.tif 000009
(57)【要約】      （修正有）【課題】ボールへ前方回転を与えるために、熟練した高い精度や技術を必要とするパッティングにおいて、簡単な構造によって、ボールに対して容易に前方回転を与える。【解決手段】パタークラブはフェースの鉛直方向に対して斜めに形成された弾性体２によって保持されたフェース面３を持つことを特徴とし、パタークラブをストロークした際に、フェース面３とボール４が衝突する衝撃によって、弾性体２によって保持されたフェース面３は斜め下方にたわみ、ボール４がフェース面より離れる際に、弾性体２によって保持されたフェース面３の反発作用による斜め上方の力５によって、ボール４に対し容易に前方回転を与えることを可能とする。【選択図】図２
0003141297.tif 000002
【実用新案登録請求の範囲】
【請求項１】
ゴルフ競技に使用するパタークラブのフェースにおいて、フェースの水平方向に対して平行な、フェースの鉛直方向に対して斜めに形成される弾性体により保持されるフェース面を持ち、斜めに形成される弾性体により、フェースがボールと衝突する衝撃によって、フェース面が斜め下方に向かって変形することを特徴としたパタークラブであって、ボールがフェース面から離れる際に、斜めに形成される弾性体の反発作用による斜め上方の力によって、ボールに前方回転を与えることを可能とするパタークラブ。
【考案の詳細な説明】
【技術分野】
【０００１】本考案は、ゴルフ競技に使用するパタークラブに関する。
【背景技術】
【０００２】ゴルフ競技においてパッティングの打数を減らすことは重要であり、ボールを高い確率でカップインさせるためには、パタークラブによってボールに前方回転を与えることで、ボールを曲がりにくくすることが必要である。そのために、パタークラブの重心位置や重量などを変える形状の工夫や、軟鉄やアルミ・樹脂などのさまざまな素材が用いられているが、ボールを前方回転させるためには、競技者によるボールへの打点の高さ、打ち出しの角度や強さなどの高い精度や技術を必要としている。
【考案が解決しようとする課題】
【０００３】本考案は、パタークラブによってボールへ前方回転を与えるために高い精度や技術を必要とするパッティングを、簡単な構造によって、ボールに対して容易に前方回転を与えることを課題とする。
【課題を解決するための手段】
【０００４】本考案は、パタークラブのフェースにおいて、フェースの水平方向に対して平行な、フェースの鉛直方向に対して斜めに形成された弾性体により保持されるフェース面を持つことを特徴とする。
【０００５】フェースの鉛直方向に対して斜めに形成された弾性体により保持されるフェース面が、ボールと衝突する衝撃により、フェースの斜め下方に向かって弾性変形し、斜め上方へ反発することを特徴とする。
【考案を実施するための最良の形態】
【０００６】以下に、本考案の実施の形態を図面により説明する。
（図１）は本考案のパタークラブの実施例の断面図である。
パタークラブのフェースは、フェースの水平方向に対して平行な、フェース面の鉛直方向１に対して斜めに形成される弾性体２によって保持されるフェース面３を有する。【０００７】（図２）は本考案のパタークラブの挙動を説明する。
パタークラブをストロークして、フェース面３とボール４が衝突する衝撃によって、フェース面の鉛直方向１に対して斜めに形成される弾性体２は斜め下方にたわみ、ストロークの間にボール４が弾力によりフェース面３と離れる際に、弾性体２の反発作用による斜め上方の力５によって、ボールに対し前方回転を与えることを可能とする。
打ち出しの角度や強さが違った場合でも、ボール４がフェース面１より離れる瞬間から、ゴルフボール４に対して前方回転を与えることが出来るため、ボール４が回転しないまま横滑りしたり、跳ねたりすることによるボール４の曲がりを防止することが出来る。
また、弾性体２がたわむことにより、ボール４が衝突する衝撃を吸収することが出来るため、パタークラブの重心とボール４の打点がずれた場合の振動の影響を少なくすることが出来る。
【考案の効果】
【０００８】従来のパッティングにおいて、パタークラブによってボールへ前方回転を与えるためには、競技者によるボールへの打点の高さ、打ち出しの角度や強さなどの高い精度や技術を必要としていた。本考案のパタークラブはフェース面の鉛直方向に対して斜めに形成される弾性体により保持されるフェース面の斜め上方の反発作用によって、ボールがフェースより離れる瞬間から容易にボールへの前方回転を与えることを可能とする。
【図面の簡単な説明】
【図１】本考案のグリップの実施例の断面図
【図２】本考案のパッティングの挙動の説明図
【図１】
0003141297.tif 000003
【図２】
0003141297.tif 000004
(57)【要約】【課題】      直接手を触れずにカメムシを捕獲すること。【解決手段】  捕獲したカメムシを溜める容器１と、捕獲したカメムシが逃げ出さないように漏斗状になった容器２と、伸縮ポール６をシャフト３、蝶ナット４、プレート５で接続したカメムシ捕獲器によりこの課題を解決する。【選択図】図２
0003141292.tif 000002
【実用新案登録請求の範囲】
【請求項１】
直方体状で上面が空いた容器と、直方体状で下部が漏斗状であり上面が空いた容器を組み合わせ、伸縮ポールを取り付けたカメムシ捕獲器。
【考案の詳細な説明】
【技術分野】
【０００１】  本考案はカメムシを捕獲する際に使用する捕獲器に関する。
【背景技術】
【０００２】  従来、カメムシは手で捕獲するか電気を利用した捕獲器を用いて捕獲する事が一般的である。
【考案の開示】
【考案が解決しようとする課題】
【０００３】  しかし、カメムシは捕獲時に異臭を発し、手で捕獲する場合にはその臭いが手に付着することがある。また、電気を利用する捕獲器は導入にそれなりの費用が掛かる。
【課題を解決するための手段】
【０００４】  そこで、直方体状で上面が空いた容器と、直方体状で下部が漏斗状であり上面が空いた容器を組み合わせ、伸縮ポールを取り付けたカメムシ捕獲器を考案した（図２）。この考案により、直接手を触れずに高所・低所にかかわらずカメムシを捕獲することが出来る。
【考案の効果】
【０００５】  よって、本考案により、自らの手を汚すことなくカメムシを捕獲することが出来る。捕獲後は、容器内に殺虫剤を噴霧するなどしてカメムシを殺傷し、漏斗状の容器を外してカメムシだけを廃棄することが出来る。なお容器部分は容易に交換することが出来るので、容器が汚れた場合や、大量に捕獲する場合などでも問題なく利用することが出来る。
【考案を実施するための最良の形態】
【０００６】  本考案に係わるカメムシ捕獲器は、図２に示すように、捕獲したカメムシを溜める容器１と、捕獲したカメムシが逃げ出さないように漏斗状になった容器２と、伸縮ポール６をシャフト３、蝶ナット４、プレート５で接続した物である。容器の素材はプラスチックを基本とし、市販のペットボトルを切断して利用することも出来る。
【図面の簡単な説明】
【０００７】
【図１】  本考案に係わるカメムシ捕獲器のカメムシ捕獲部を拡大した物である。
【図２】  本考案に係わるカメムシ捕獲器の全体図である。
【符号の説明】
【０００８】  １        カメムシを溜める容器
２        カメムシを逃がさない為の漏斗状容器
３        シャフト
４        蝶ナット
５        プレート
６        伸縮ポール
【図１】
0003141292.tif 000003
【図２】
0003141292.tif 000004
(57)【要約】      （修正有）【課題】スローアウェイシャンクは被切削物の切削時にシャンクを都度切削目的・箇所に合わせて交換する必要がなく、効率的な切削加工が可能とする。【解決手段】そこで、四角形チップ２をスローアウェイシャンク本体１に４５度に取り付ける事により切削箇所が変わる都度その切削目的に応じたチップの付いたシャンクに交換して使用しなくても一本のスローアウェイシャンクで外形・端面・コーナー・面取り等種々な切削が出来る。【選択図】図１
0003141295.tif 000002
【実用新案登録請求の範囲】
【請求項１】
外形・端面・面取り等多様な切削が可能なスローアウェイシャンク
【考案の詳細な説明】
【技術分野】
【０００１】
本考案は、一つのチップを多用途に使用するスローアウェイシャンクに関するものである。
【背景技術】
【０００２】
従来のスローアウェイシャンクは切削目的に対して単一機能シャンクとして充分実用に供していた。
【０００３】
しかし、従来は単一機能シャンクが主流であり又両刃使用で切削の効率をはかるバイトも有るが一つのチップを多用途に使用出来るものは無く切削作業の能率が悪かった。
【特許文献１】特許公開平６−３１５８０２
【考案の開示】
【考案が解決しようとする課題】
【０００４】
解決しようとする問題点は、被切削物の切削時にその切削目的箇所に応じてシャンクを交換する必要がある点である。
【課題を解決するための手段】
【０００５】
本考案は、四角形チップをシャンクに４５度の角度で取り付ける事により、一本のシャンクで外形・端面・コーナー・面取りの切削を可能にすることを最も主要な特徴とする。
【考案の効果】
【０００６】
本考案のスローアウェイシャンクは四角形チップの各ノーズと切れ刃面を有効に使用出来る為にチップを逐一交換する事無く外形・端面・コーナー・面取り等の切削が出来る利点がある。
【実施例１】
【０００７】
図１は、本考案シャンクの装置の全体図である。図２は図１の本考案シャンクの平面図である。
【０００８】
本体１はチップを４５度の角度をもって取り付けられるよう、加工したものである。その本体１に四角形チップ２を取り付け締め付けネジ３で固定する。
【図面の簡単な説明】
【０００９】
【図１】本考案シャンクの装置の全体図である。
【図２】本考案シャンクの平面図である。
【符号の説明】
【００１０】
１    本体
２    四角形チップ
３    締め付けネジ
【図１】
0003141295.tif 000003
【図２】
0003141295.tif 000004
【手続補正書】
【提出日】平成20年2月27日(2008.2.27)
【手続補正１】
【補正対象書類名】実用新案登録請求の範囲
【補正対象項目名】全文
【補正方法】変更
【補正の内容】
【実用新案登録請求の範囲】
【請求項１】
上面先端部にチップ座を有する、四角棒状をなすスローアウェイシャンク１に、四角形スローアウェイチップ２を固定する構造であって、四角形スローアウェイチップ２の対角線長は四角棒状をなすスローアウェイシャンク１の上面短辺より長く、且つ、四角形スロアウェイチップ２の一方の対角線が四角棒状をなすスローアウェイシャンク１の軸線に平行になるように固定する構造であり、且つ、前記四角形スローアウェイチップ２は貫通孔を有し、前記四角棒状をなすスローアウェイシャンク１は前記四角形スローアウェイチップ２の貫通孔に連通するネジ孔を有し、前記スローアウェイチップ２を固定ネジ３にて固定される構造。
(57)【要約】【課題】ペットを連れて散歩をする時にストレスになるのは、糞の処理とペットが勢い余り思わず手元から逃げ出してしまうことが挙げられる。この手袋は、飼主が上記のストレスなく、両手で糞の処理等の作業を行い易く、かつペットが手元から離れることなく安全に散歩を行える大きな利点を提供するものである。【解決手段】手袋の手首部にリードを挿通するカラビナ等の環状部材を取り付ける。【選択図】図１
0003141296.tif 000002
【実用新案登録請求の範囲】
【請求項１】
犬等のペットを散歩させる人が手に装着する手袋において、
前記ペットの首に巻き付ける首輪等に対し一方の端部を連結するリードの他方の端部を挿通することができる環状部材を該手袋の手首部に取り付けたことを特徴とする手袋。
【考案の詳細な説明】
【技術分野】
【０００１】  本考案は、犬や猫などのペットを散歩させるときに、飼主等の人が手に装着して使用する手袋に関する。
【背景技術】
【０００２】  犬を野外で散歩させるとき、飼主等の人が、犬の首に巻き付けた首輪または犬の胴に巻き付けた胴輪に対しリード（引き綱）の一方の端部を連結し、そのリードの他方の端部を手に握って散歩させるのが通常である。そして、飼主等は、例えば、寒い季節には手の防寒のために手袋を使用している。
【考案の開示】
【考案が解決しようとする課題】
【０００３】  リードの端部を直接握るか、手袋を装着した状態で握るという違いがあるものの、散歩中、リードを握ることによって少なくとも片手が自由に使えない不都合があった。例えば、犬が散歩中に糞をした場合、その糞の後始末をするのに、リードを持つ片手が使えず、もう一方の片手のみでは容易に行えないことがあった。【０００４】  また、手袋を装着していても、手でリードを持っているだけであるので、散歩中に犬が急に走り出すと、犬に接続しているリードが手から離れてしまうことがあり、この場合、手元から逃げた犬を容易に連れ戻せないことがあった。【０００５】  本考案は、犬等のペットを散歩させるとき、リードの端部を握った片手を緩めたり、リードの端部を握らなかったりしても、リードの端部がすぐに手から離脱することがなく、両手を使って糞の後始末等を行い易くした手袋を提供し、上記課題を解決するものである。
【課題を解決するための手段】
【０００６】  本考案に係る手袋は、犬等のペットを散歩させる人が手に装着する手袋において、
前記ペットの首に巻き付ける首輪等に対し一方の端部を連結するリードの他方の端部を挿通することができる環状部材を該手袋の手首部に取り付けたことを特徴とする。【０００７】  本考案の手袋によれば、リードの持ち手部側の端部を、手に装着した手袋の手首部に取り付けている環状部材に挿通した後、手で持つことができる。リードの持ち手部は、手で持ちやすいように一般にループ状とされているから、そのループ状の持ち手部に手の親指を挿通した状態とすれば、持ち手部を握らなくても、リードが手からすぐに離脱することがなく、持ち手部を握らない手を自由に使うことができる。また、例えば、鉄砲ナス環等の掛止め具を持ち手部に備えたリードを使用すれば、その掛止め具を手袋の環状部材に引っ掛けることにより、確実に離れない状態でリードを保持することができる。
【考案の効果】
【０００８】  本考案によれば、ペットを散歩させるときに、リードを保持した状態で両手を使って糞の後始末等を容易に行うことができ、また、ペットが急に走り出した場合でも、リードが手からすぐに離脱しし難くすることができる。
【考案を実施するための最良の形態】
【０００９】  図１は、本実施の形態に係る手袋１０の正面図、図２は、この手袋の背面図である。この手袋１０は、例えば、防寒、スポーツ、作業用等として使用するものと基本的な構成は同じに形成している。【００１０】  手首部１１の一箇所である、小指部１２側の装着口１５寄りの側面部には、取付部材１６を介して環状部材１１として金属製カラビナを取り付けている。なお、取付部材１６は、皮革、合成繊維生地等から形成し、環状部材１１を間に配置して折り返した状態で手袋１０に対して縫い付けている。【００１１】  環状部材１１は、長方形環である金属製カラビナを使用しているが、これに限定されず、いかなる材質、形状または構造のものであってもよい。例えば、一般に用いられている金属または合成樹脂からなる丸環、角環（三角、四角環等）、Ｄ型環、Ｏ型環等を使用することができる。また、取付部材１６をサイズの大きい筒状に形成すれば、カラビナ、丸環等を使用することなく、取付部材１６をそのまま環状部材１１とすることもできる。環状部材１１のサイズは、リードの太さ等に応じて適宜変更すればよい。【００１２】  環状部材１１を取り付けている箇所は、小指部１３側の装着口１５寄りの側面部にしているが、これに限定されず、手首部１２およびそこから装着口１５の間であれば、どの箇所に取り付けてもよい。例えば、小指部１３側と反対に親指部１４側の装着口１５寄りの側面部や、手甲部側の装着口１５の中央端部に取り付けることもできる。また、環状部材１１は、２箇所以上に取り付けてもよい。【００１３】  次に、本実施の別の形態に係る手袋２０の背面図である図３を参照し、この手袋２０を使用する場合について説明する。この手袋２０に手を挿入した後、リード２７のループ状の持ち手部２８を環状部材２１に挿通させる。そして、リード２７が手から離脱しないように、このリード２７のループ状の持ち手部２８に親指部２４を通した状態にしてペットを連れて散歩する。この場合、リード２７が手からすぐに離脱しないようにしているため、急にペットが走り出しても安心である。しかも、リード２７の持ち手部２８を握っていなくてもよいため、両手を使って糞の後始末等を容易に行うことができる。【００１４】  持ち手部２８に鉄砲ナス環等の掛止め具を備えたリード２７の場合であれば、掛止め具を手袋の環状部材に引っ掛けた状態にして使用することもできる。
【図面の簡単な説明】
【００１５】
【図１】本実施の形態に係る手袋の正面図である。
【図２】図１に示す手袋の背面図である。
【図３】本実施の別の形態に係る手袋の正面図である。
【符号の説明】
【００１６】  １０，２０…手袋
１１，２１…環状部材
１２…手首部
１３…小指部
１４，２４…親指部
１５…装着口
１６…取付部材
２７…リード
２８…リードの持ち手部
【図１】
0003141296.tif 000003
【図２】
0003141296.tif 000004
【図３】
0003141296.tif 000005
(57)【要約】      （修正有）【課題】合成洗剤を使用せずに、安全で使い易い食器洗浄環境を作り出すスポンジを提供する。【解決手段】食器洗いに石鹸を使用する事により合成洗剤を使用せずに食器洗浄を行い、石鹸をスポンジ１内部に埋め込む事により、石鹸を一々こすり付ける作業を省く事が出来る。【選択図】図１
0003141219.tif 000002
【実用新案登録請求の範囲】
【請求項１】
全体をスポンジで形成し、スポンジに石鹸を埋め込む為２ヶ所の切り込みを入れ、スポンジの内側に石鹸を埋め込んだ食器洗い用スポンジ。
【請求項２】
上記スポンジの石鹸部分の割合はスポンジ全体の約２／３とする食器洗い用スポンジ。
【考案の詳細な説明】
【技術分野】
【０００１】  本考案はスポンジの中に石鹸を埋め込んだ食器洗い用スポンジである。
【背景技術】
【０００２】従来、主に食器洗いには自然分解されない合成洗剤を使用している。また、石鹸を使用した場合は洗浄効果を得るため石鹸成分を持続させなければならず、スポンジに石鹸をこすり付ける作業を幾度も行っている。
【考案の開示】
【考案が解決しようとする課題】
【０００３】合成洗剤は自然分解が出来ないため、家庭用排水として下水に流すと環境汚染の危険がある。合成洗剤は手荒れの原因となり、皮膚の弱い人や職業で携わる人には深刻な問題である。また、上記を踏まえて石鹸を使用した場合にはスポンジに石鹸をこすり付ける作業を幾度も行わなくてはならないので面倒である。
【課題を解決するための手段】
【０００４】本考案は食器洗浄に石鹸を使用する事により、自然分解出来ないという環境破壊問題と手荒れ問題を解決することが出来る。また、スポンジの中に石鹸を埋め込む事により、スポンジに石鹸をこすり付けるという面倒な作業を省けるので問題を解決する事が出来る。
【考案の効果】
【０００５】上述の様に食器洗浄に石鹸を使用することにより手荒れを防ぐ事が出来る。また、石鹸は自然分解出来るので川や海を汚染する事も無く、環境保護に繋がる。そして、スポンジの中に石鹸が埋め込まれているのでスポンジに石鹸をこすり付けるという面倒な作業を省く事が出来る。更に石鹸部分を全体の２／３に留める事により、残りの１／３のスポンジ部分で食器の細部まで洗う事ができる。石鹸を埋め込む為に２ヶ所の切り込みが入っている事により、石鹸が無くなっても新しい石鹸を入れ替え、繰り返し使用する事ができる。
【考案を実施するための最良の形態】
【０００６】スポンジに少量の水分を含ませ、軽く泡立ててから食器を洗浄する。
【実施例】
【０００７】スポンジに少量の水分を含ませ、軽く泡立ててから食器を洗浄する。事前に食器の余分な汚れは落としておくのが望ましい。
【産業上の利用可能性】
【０００８】石鹸は安全ですすぎの際の泡切れも良い為、産業上の利用可能性は大いに考えられる。
【図面の簡単な説明】
【０００９】
【図１】本考案のスポンジを示す全体図である。石鹸を埋め込む為の切り込み部分を示すものである。４の側面は内部の切り込みの為、そとからは見えない。
【図２】スポンジ内の石鹸の位置を示す図である。
【符号の説明】
【００１０】１  スポンジ
２  石鹸
３  上部切り込み部分
４  側面（内部切り込み部分）
【図１】
0003141219.tif 000003
【図２】
0003141219.tif 000004
【手続補正書】
【提出日】平成19年6月18日(2007.6.18)
【手続補正１】
【補正対象書類名】実用新案登録請求の範囲
【補正対象項目名】全文
【補正方法】変更
【補正の内容】
【実用新案登録請求の範囲】
【請求項１】
全体をスポンジで形成し、スポンジに石鹸を埋め込む為の２ヶ所の切り込みを入れ、スポンジの内側に石鹸を埋め込んだ食器洗い用スポンジ。
【請求項２】
スポンジの石鹸部分はスポンジ全体の約２／３とする請求項１に記載の食器洗い用スポンジ。
【手続補正２】
【補正対象書類名】明細書
【補正対象項目名】０００９
【補正方法】変更
【補正の内容】
【０００９】
【図１】本考案のスポンジを示す全体図である。
【図２】石鹸を埋め込む為の切り込み部分を示すものである。
【手続補正３】
【補正対象書類名】図面
【補正対象項目名】全図
【補正方法】変更
【補正の内容】
【図１】
0003141219.tif 000005
【図２】
0003141219.tif 000006
(57)【要約】      （修正有）【課題】工作機械で使用するスクロールチャック硬質爪の摩耗、締め付け時の芯円振れ、爪部先端の破損など不均等歪などの修正研削を行う時に、加工物を締める時と同条件の作用を求めるために使用する硬質爪フックリングの提供。【解決手段】三等分に配する硬質爪の先端断面形状に、はまり込む硬質爪フックリングに硬質爪を内径方向に締めると、テーパー部の一部が引っ掛かるように工夫し、硬質爪フックリングの内径よりはみ出る、硬質爪が加工物と接触する部分を芯円精度を出すために、修正研削時に使用する作業工具である。この引っ掛かり形状が、芯円精度を出すための手段となる。【選択図】図１
0003141256.tif 000002
【実用新案登録請求の範囲】
【請求項１】
工作機械に取り付けるスクロールチャック硬質爪の、切削物接触面を芯円精度を出すために、修正研削を行う時に使用する。
硬質爪フックリングの形状における請求範囲
【考案の詳細な説明】
【技術分野】
【０００１】本考案は、工作機械に取り付くスクロールチャックの硬質爪が摩耗した部分を修正研削するために硬質爪の安定位置を図る為に使用する作業工具である。
【背景技術】
【０００２】従来は交換型生材質爪に対しては、多種多様な爪の位置固定する商品が開発されているが、熱処理硬質爪と段差の有る条件の構造が、開発の妨げに成り新発想の商品が無かった、そのため現場作業者がリング状金具を制作し爪に装着して、内径より外径方向に開き締めし修正研削をしていたが、芯円精度が満たされなった。
【考案の開示】
【考案が解決しょうとする課題】
【０００３】これらは次のような問題点があった。
通常スクロールチャック作業では、加工物を外径より中心方向に締め付けるため、リング状金具の条件では締方向の違いが有り、精密な芯円精度が求められなかった。
本案は硬質爪の精密な芯円精度を出すための課題である。
【課題を解決するための手段】
【０００４】円中心寄り一段目断面の形を内径三等分に掘り抜き、硬質爪の加工物面に接する部分が硬質爪フックリングの内径より、はみ出る形とする硬質爪フックリングを三方向の硬質爪幅に合わせながら、作業締め条件に見合った修正研削をする事で加工物チャッキング時の芯円精度を良くする課題が解決出来る。
【考案の効果】
【０００５】硬質爪フックリングを用いて修正研削すると、新品スクロールチャックの他にも、摩耗し出だしたスクロールチャックも適応の芯円精度が求められる。
又、従来に無くコストが安く作れ、硬質爪の精度管理に長く対応する事が出来る。
以上の効果が求められる。
【考案を実施するための最良の状態】
【０００６】以下本考案の実施例について説明する。
段段形状の硬質爪（１）の先端一段めの断面形状を、硬質爪フックリング（２）の内径に三等分に掘り抜き、硬質爪フックリングの内径部に硬質爪のテーパー部の引っ掛かり部を設ける、断面形状の掘り抜き穴は隙間が多く成らない様にする。
硬質爪フックリングの厚み寸法は、硬質爪端面から二段めまでの長さとする。
硬質爪と硬質爪フックリングを合わせつつ中心方向に締め付けて、三方向爪のテーパー部で行き止まり内径にはみ出た接触面の修正研削を行うことで、作業加工物の締め付け芯円精度がより良く成る。
本考案は以上のような構成により実施される。
【図面の簡単な説明】
【０００７】
【図１】本考案の使用前の斜視図である。
【符号の説明】
【０００８】１      硬質爪
２      硬質爪フックリング
【図１】
0003141256.tif 000003
【手続補正書】
【提出日】平成20年1月29日(2008.1.29)
【手続補正１】
【補正対象書類名】実用新案登録請求の範囲
【補正対象項目名】全文
【補正方法】変更
【補正の内容】
【実用新案登録請求の範囲】
【請求項１】
工作機械に取り付ける、スクロールチャックの硬質爪と切削物との接触する接触面の歪みを芯円精度を正常に修正研削を行うために、円環形状の内輪に、硬質爪の先端一段目の凸断面接蝕部が、内向状態で食み出る形状を等間隔に掘り抜く、相対するテーパー部で締め付け合う形状を有する、硬質爪フックリング。
【手続補正２】
【補正対象書類名】図面
【補正対象項目名】図１
【補正方法】変更
【補正の内容】
【図１】
0003141256.tif 000004
(57)【要約】      （修正有）【課題】布類の伸縮性や機能等を失うことなくしかも高度の耐久性を保ちうるような健康指向の衣類ないし身回品を提供する。【解決手段】粉末状機能性鉱物１とエラストマー２との混合物Ａを衣類ないし身回品における布体３の少なくとも片面部分に積層させ、コルセット、サポーター、靴下、パンツ、ペルト、電気座布団、マット、電気アンカ、マスク類等に適用させる。【選択図】図１
0003141254.tif 000002
【実用新案登録請求の範囲】
【請求項１】
粉末状機能性鉱物とエラストマーとの混合物を衣類ないし身回品における布体の少なくとも片面部に積層させたことを特徴とする機能性衣類ないし身回品。
【請求項２】
衣類ないし身回品がコルセットである請求項１記載の機能性衣類ないし身回品。
【請求項３】
衣類ないし身回品が身体装着用サポーターである請求項１記載の機能性衣類ないし身回品。
【請求項４】
衣類ないし身回品が靴下である請求項１記載の機能性衣類ないし身回品。
【請求項５】
衣類ないし身回品がパンツである請求項１記載の機能性衣類ないし身回品。
【請求項６】
衣類ないし身回品が身体装着用ベルトである請求項１記載の機能性衣類ないし身回品。
【請求項７】
衣類ないし身回品が電気座布団である請求項１記載の機能性衣類ないし身回品。
【請求項８】
衣類ないし身回品が就寝用マットである請求項１記載の機能性衣類ないし身回品。
【請求項９】
衣類ないし身回品が電気アンカである請求項１記載の機能性衣類ないし身回品。
【請求項１０】
衣類ないし身回品がマスク類である請求項１記載の機能性衣類ないし身回品。
【考案の詳細な説明】
【技術分野】
【０００１】この考案は、身体の不快感などを除くことを狙った機能性衣類ないし身回品に関する。
【背景技術】
【０００２】身体各所の痛みや血行不良等不快感や症状の改善をはかるための各種サポーターや磁気絆などが既によく知られている。また布地にある種の機能性材料を積層或いは含浸させた健康グッズ等も既に知られている。
【考案の開示】
【考案が解決しようとする課題】
【０００３】
【０００４】このような現状における様々な健康グッズ類は、かかる機能性材料を積層させることによって、布類のもつ伸縮性や風合い、肌触りなどをしばしば損なう憂いがあった。本考案はかかる問題点を解決して、布類の伸縮性や機能を失うことなくしかも高度の耐久性を保ちうるような健康衣類等を提供することを課題とする。
【課題を解決するための手段】
【０００５】粉末状機能性鉱物１とエラストマー２との混合物Ａを衣類ないし身回品における布体３の少なくとも片面部分に積層させて、本考案の機能性衣類ないし身回品とする。【０００６】ここでいう粉末状機能性鉱物１とは、マイナスイオンの生成や遠赤外線などの作用により健康や癒し等において好ましい機能を発揮するとされる鉱物を粉末化したもののことであり、例えばモナザイト、ブラックシリカ、第２硫化鉄、トルマリン、ジルコニウム、医王石、酸化コバルト、ゲルマニウム等が挙げられる。【０００７】またエラストマー２とは、硬化後においてゴム状になるシリコンやウレタン等の成形材、接着剤、或いは塗材等として用いられているもののことであり、本考案ではこれを主に塗材として用い、塗布、印刷、或いは浸漬等により、片面又は両面に、またパターン状又はベタ状に、布体３に積層する。【０００８】布体３を有し本考案に適している衣類ないし身回品としては、コルセット、身体装着用サポーター、靴下、パンツ、身体装着用ペルト、電気座布団、就寝用マット、電気アンカ、マスク類（特にアイマスク）等が挙げられる。これらにはいずれもヒーターを組み込み、これにコードや電源（電池等）を繋ぐこともある。
【考案の効果】
【０００９】本考案によれば、動きのある身体に近接して長時間使用されがちな衣類ないし身回品において、伸縮性のあるエラストマーを媒体として硬質の機能性鉱物粉末を積層させているから、肌触りがソフトであるばかりか、屈曲の繰り返しや洗濯等に対しても積層部のクラックや剥離を甚だおこしにくく、比較的大量の機能性鉱物を布類に配置できてしかも耐久性があるなどの効果がある。
【考案を実施するための最良の形態】
【００１０】重量比において、平均粒径約３０μｍのモナザイト７０％、ブラックシリカ１０％、酸化マグネシウム５％、炭酸カリウム５％、第２硫化鉄５％、トルマリン５％の混合物１００ｇを、適宜溶剤で希釈した固形物換算３５ｇのエラストマー系シリコン中に混合し、この混合物Ａを例えばシルクスクリーン印刷法や浸漬法により、図面のようにコルセット、サポーター、靴下、パンツ、ベルト、電気座布団、マット、電気アンカ等の布体部に積層（塗布）する。なお、鉱物粉末は上記配合に替えて、モナザイト５０％、酸化アルミニウム１０％、酸化ジルコニウム１０％、医王石１０％、酸化コバルト１０％、ゲルマニウム５％、炭酸カリウム５％にしてもよい。
【産業上の利用可能性】
【００１１】本考案の機能性衣類ないし身回品は、良好な使用感と耐久性を兼ね備えていてニーズが高く、また製造も容易であるから、産業上の利用可能性は十分にある。
【図面の簡単な説明】
【００１２】
【図１】本考案布体部の拡大断面図
【図２】本考案のコルセット例の見取図
【図３】本考案の身体装着用サポーター例の見取図
【図４】本考案の靴下例の見取図
【図５】本考案のパンツ例の見取図
【図６】本考案の身体装着用ベルト例のの見取図
【図７】本考案の電気座布団例の見取図
【図８】本考案の就寝用マット例の見取図
【図９】本考案の電気アンカ例の見取図
【図１０】本考案のアイマスク例の見取図
【符号の説明】
【００１３】  １……粉末状機能性鉱物
２……エラストマー
３……布体
Ａ……混合物
【図１】
0003141254.tif 000003
【図２】
0003141254.tif 000004
【図３】
0003141254.tif 000005
【図４】
0003141254.tif 000006
【図５】
0003141254.tif 000007
【図６】
0003141254.tif 000008
【図７】
0003141254.tif 000009
【図８】
0003141254.tif 000010
【図９】
0003141254.tif 000011
【図１０】
0003141254.tif 000012
(57)【要約】      （修正有）【課題】吊り輪を握ったときに、手との接触面積が増し、把握間を補充して、安定、安心を感じ、刺激を受けることにより爽快感を増すことができる吊り輪の提供。【解決手段】吊り輪に滑らかな凹凸又は波形を設け、指と指の間にも吊り輪の部分が接触させて、吊り輪と握っている指の部分の接触面積を増やし、把握感を補充する。【選択図】図１
0003141259.tif 000002
【実用新案登録請求の範囲】
【請求項１】
吊革用吊り輪に凹凸又は波形を設けることを特徴とする吊り輪。
【請求項２】
凹凸又は波形部分が着脱できる請求項１の吊り輪
【考案の詳細な説明】
【技術分野】
【０００１】  本考案は、吊り輪に凹凸又は波形を設けた、吊革に関するものである。
【背景技術】
【０００２】  電車やバスに設置されている吊革の吊り輪の部分は、平滑で握った場合に指と指との間に何もないので頼りない感じである。
【考案の開示】
【考案が解決しようとする課題】
【０００３】  吊革の吊り輪は、電車やバスが揺れたときに体を支えるために平滑な吊り輪を使用している。吊り輪が平滑なために握っているという安心感が欠ける。従って、吊り輪に滑らかな凹凸又は波形を設け、握っている部分の接触面積を増やすことにより、把握感が補充され前述の欠点を解決しようとするものである。
【課題を解決するための手段】
【０００４】  本考案は、吊り輪に滑らかな凹凸又は波形を設け、指と指の間にも吊り輪の部分が接触させて、吊り輪と握っている部分の接触面積を増やし、指などを刺激することにより問題点を解決している。
【考案の効果】
【０００５】  上述のように、本考案の凹凸又は波形付吊革用吊り輪は、平滑な吊り輪を凹凸又は波形付の吊り輪にするか、平滑な既設の吊り輪に凹凸又は波形の部品を取り付けたので、吊り輪を握ったときに、手との接触面積が増し、把握感を補充するので、安定、安心を感じ、刺激を受けることにより爽快感を増すことができる。
【考案を実施するための最良の形態】
【０００６】  吊り輪を製作する過程で、表面を凹凸又は波形に仕上げる。凹凸又は波形の高さや間隔は大人の指の太さや隙間を考慮するが、余りこだわることはない。【０００７】  既設の吊り輪に設けるときは、着脱可能な凹凸又は波形部品を吊り輪に取り付けることにより、凹凸又は波形付吊り輪にすることが出来る。
【実施例】
【０００８】  以下、添付図面に従って実施例１を説明する。図１の吊革本体１に、本考案の滑らかな波形を付けた吊り輪２で構成する。【０００９】  吊り輪２には、間隔３ａ、高さ３ｂの滑らかな波形を全体に付ける。凹凸の場合には、波形の部分が凹凸になる。【００１０】  実施例２を説明する。図２の吊革本体１の吊り輪４に、本考案の滑らかな波形を付けた波形部品５を装着したもので構成する。凹凸の場合には、波形の部分が凹凸になる。【００１１】  波形部品５は、吊り輪４に簡単に装着できるように部品の一部に装着用切断面５ｂを持っている。長さ５ａの波形部品５は切断面５ｂを広げて吊り輪４に装着する。凹凸の場合には、波形の部分が凹凸になる。【００１２】  図４は、三角型吊り輪の例である。
【図面の簡単な説明】
【００１３】
【図１】本考案の波形付吊革用吊り輪の実施例１を示す。
【図２】握る部分に波形を使用した吊り輪の実施例２を示す。
【図３】実施例２の波形部品の断面図。
【図４】三角型吊り輪の例を示す。
【符号の説明】
【００１４】１  吊革
２  波形吊り輪
３  波形部
３ａ  波形の間隔
３ｂ  波形の高さ
４  平滑な吊り輪
５  波形部品
５ａ  部品の長さ
５ｂ  部品の接合部
６  三角型吊り輪
【図１】
0003141259.tif 000003
【図２】
0003141259.tif 000004
【図３】
0003141259.tif 000005
【図４】
0003141259.tif 000006
(57)【要約】      （修正有）【課題】折りたたみ傘の枝骨に車輪を付け、よりコンパクトにたたんだ台車を提供する。【解決手段】折りたたみ傘形状の取手幹１に蝶番４や嵌合ピンを介して後枝骨２に繋ぎ、その先も更に前枝骨３を繋ぎ、各々枝骨に車輪５，６を設ける。又、枝骨と車輪及び取手幹を同時に固定するために嵌合ワンタッチ式の旋回ロックプレート７を設け、枝骨を嵌合ピンで繋ぐ。繋がれた台車は頑丈となり前後に移動することも可能となる。台車をたたむ時は、旋回ロックプレートの嵌合ピンを外して枝骨に重ね、プレートを含め枝骨や車輪等全てを取手幹に向けて折りたたむ事で、よりコンパクトになり台車をポケットサイズにする事が可能となる。【選択図】図２
0003141227.tif 000002
【実用新案登録請求の範囲】
【請求項１】
１取手幹の下部周りに４蝶番や嵌合ピンを使い、幹方向へ折りたたみが出来るように向きを変えながら２枝骨をセットし、その枝骨に６車輪又は脚等を装着する。
更に、その先も４蝶番や嵌合ピンを介しながら目的方向に折りたためる様に、３枝骨を継ぎ足して組立、５車輪又は脚を装着する。
この時、２・３枝骨や５・６車輪及び７旋回ロックプレート等の全てが１取手幹に向かって折りたたむめるようにし、「枝骨と車輪と取手幹」を一同に集束する事により、「コンパクト」な台車にする。
【請求項２】
２・３枝骨や５・６車輪を安定させる為に、２・３枝骨間に７ワンタッチ式の７旋回ロックプレートをピン穴に挿入し嵌合させ固定する。
この７旋回ロックプレートの役割は枝骨間や車輪を固定し、荷台を安定化させると同時に台車の１取手幹を押し引きしても動かない様にする役割も担っている。
【考案の詳細な説明】
【技術分野】
【０００１】本考案は、折りたたみ傘の枝骨に車輪を付けたとき、よりコンパクトにたたんだ台車を提供出来ると考え製作したものである。
【背景技術】
【０００２】傘様に折りたたむコンパクトな収容場所をとらない簡単容易に使える台車等が出来ると、買い物やレジャー等の利便性が更に高まる。
【考案の開示】
【考案が解決しようとする課題】
【０００３】より台車をコンパクト化するには荷台枠を狭くしないと無理があると考える。
【問題を解決するための手段】
【０００４】１取手幹の下部周りに、４蝶番や嵌合ピンを介して、２枝骨を繋ぎ更に２枝骨の先にも３枝骨を繋ぎながら棒状の荷台を作る。各々の枝骨には５・６車輪を設ける。
２・３枝骨や５・６車輪等の装置は、１取手幹に向かって折りたためる様にセットする。
傘様に折りたたむと、［図２］のように「枝骨幅の３倍」程のコンパクトな台車が完成する。
【０００５】台車の１取手幹や、２・３枝骨及び５・６車輪を固定するために、２・３枝骨間を「７旋回ロックプレート」で繋ぐ。７旋回ロックプレートは台車を前後に動かすときの固定役もしている。
【考案の効果】
【０００６】荷台も傘の様に、棒状の枝骨で折りたたむみ出来るようにし、車輪を設けると「折りたたんだ」とき、コンパクトな台車ができる。
枝骨の数や太さ及び長さ並びに車輪径や材質を変える事で、大型にも小型にもなり、ユニークな形状の台車もできる。ベットや長椅子でもコンパクトサイズに収納する事ができる。
【図面の簡単な説明】
【０００７】
【図１】台車を開いた状態の斜視図である。
【図２】台車を折りたたんだ状態の斜視図である。
【符号の説明】
【０００８】１取手幹          ５前車輪
２後枝骨          ６後車輪
３前枝骨          ７旋回ロックプレート
４蝶番            ８旋回用固定軸
【図１】
0003141227.tif 000003
【図２】
0003141227.tif 000004
【手続補正書】
【提出日】平成19年9月25日(2007.9.25)
【手続補正１】
【補正対象書類名】実用新案登録請求の範囲
【補正対象項目名】全文
【補正方法】変更
【補正の内容】
【実用新案登録請求の範囲】
【請求項１】
取手幹（１）の下部両側及び中央には各々蝶番（４）の一方を取付け、取手幹（１）両側蝶番（４）の他方には後枝骨（３）を取付け、更に取手幹（１）の正面蝶番（４）には中央枝骨（２）を取付け、後枝骨（３）と中央枝骨（２）が共に取手幹（１）の上部に向くよう繋ぐまた、取手幹（１）に取付けた中央枝骨（２）の先端両側には更に蝶番（４）の一方を付け両側蝶番（４）の他方には、中央枝骨（２）の両側に沿わせて前枝骨（３）を取付け、取付けられた前後枝骨（３）の先端下部にはネジ穴を開け前車輪（５）と後車輪（６）を各２個付与、更に中央枝骨（２）の両端下部にもネジ穴を開け前車輪（５）と後車輪（６）を各１個取付け、計６個の車輪を設置、図１・２に示す旋回ロックプレート（７）は前枝骨（３）の左右に重ねて設け、その先端部は旋回用軸（８）を設置、反対側の後枝骨（３）には蝶ネジ着脱（９）を設置、台車を使用する時は旋回ロックプレート（７）を前枝骨（３）から後枝骨（３）に渡して繋ぎ蝶ネジ（９）で固定、また台車を格納する時は、蝶ネジ（９）を弛めて旋回ロックプレート（７）を元の前枝骨（３）上部に戻して重ね、重ねた旋回ロックプレート（７）は前枝骨（３）と併せて中央枝骨（２）に抱かせる様にたたみ、たたんだ前枝骨（３）と後枝骨（３）を一緒に取手幹（１）に集め、一箇所でコンパクトにたたむ事を可能にした台車。
【手続補正２】
【補正対象書類名】図面
【補正対象項目名】全図
【補正方法】変更
【補正の内容】
【図１】
0003141227.tif 000005
【図２】
0003141227.tif 000006
【手続補正書】
【提出日】平成20年1月16日(2008.1.16)
【手続補正１】
【補正対象書類名】実用新案登録請求の範囲
【補正対象項目名】全文
【補正方法】変更
【補正の内容】
【実用新案登録請求の範囲】
【請求項１】
取手幹（１）の下部両側及び中央には各々蝶番（４）の一方を取付け、取手幹（１）両側蝶番（４）の他方には後枝骨（３）を取付け、更に取手幹（１）の正面蝶番（４）には中央枝骨（２）を取付け、後枝骨（３）と中央枝骨（２）が共に取手幹（１）の上に向くよう繋ぎ、また、取手幹（１）に取付けた中央枝骨（２）の先端両側には更に蝶番（４）の一方を付け両側蝶番（４）の他方には、中央枝骨（２）の両側に沿わせて前枝骨（３）を取付け、取付けられた前枝骨及び後枝骨の先端下部にはネジ穴を開け前車輪（５）と後車輪（６）を各２個付与し、更に中央枝骨（２）の両端下部にもネジ穴を開け前車輪（５）と後車輪（６）を各１個取付け、計６個の車輪を設置し、旋回ロックプレート（７）は前枝骨（３）の左右に重ねて設け、その先端部には旋回用軸（８）を設置し、反対側の後枝骨（３）には蝶ネジ着脱（９）を設置した台車であって、使用する時は旋回ロックプレート（７）を前枝骨（３）から後枝骨（３）に渡して繋ぎ、蝶ネジ（９）で固定し、また台車を格納する時は蝶ネジ（９）を弛めて、旋回ロックプレート（７）を元の前枝骨（３）上部に戻して重ね、重ねた旋回ロックプレート（７）は前枝骨（３）と併せて中央枝骨（２）に抱かせる様にたたみ、たたんだ前枝骨（３）と後枝骨（３）を一緒に取手幹（１）に集め、一箇所でコンパクトにたたむ事を可能にした台車。